(57)【要約】【目的】シンプルな構造で収納・運搬に適した机を提供する。【構成】少なくとも２枚の脚板をヒンジで結合し、これらを開いた立設状態でその上に天板を載置して使用する。収納状態では、天板を外して脚板を閉じ、机の構成部品が全て平板状になるようにする。【選択図】　　　図１
2004121432.tif 000002
【特許請求の範囲】
【請求項１】
少なくとも２枚の脚板が連結されてなる脚部であって、前記脚板が重なり合うか若しくは一枚板状に展開される収納状態と、前記脚板が開かれる立設状態とをとることができる脚部と、
前記立設状態の脚部に載置される天板と、
を備えてなる机。
【請求項２】
前記脚部は２枚の脚板をヒンジで連結してなる、ことを特徴とする請求項１に記載の机。
【請求項３】
前記脚板はほぼコ字形であり、該コの字の縦辺部分でヒンジ連結されている、ことを特徴とする請求項２に記載の机。
【請求項４】
机用の脚部であって、
少なくとも２枚の脚板が連結されてなり、前記脚板が重なり合うか若しくは一枚板状に展開される収納状態と、前記脚板が開かれる立設状態とをとることができる脚部。
【請求項５】
２枚の前記脚板をヒンジで連結してなる、ことを特徴とする請求項４に記載の脚部。
【請求項６】
前記脚板はほぼコ字形であり、該コの字の縦辺部分でヒンジ連結されている、ことを特徴とする請求項５に記載の脚部。
【請求項７】
少なくとも２枚の脚板が連結されてなる脚部であって、前記脚板が重なり合うか若しくは一枚板状に展開される収納状態と、前記脚板が開かれる立設状態とをとることができる脚部と、
前記立設状態の脚部に載置される天板部であって、底板プレート、天板プレート及び支持部を供え、該支持部は少なくとも２枚の支持板が連結されてなり、前記指示板が重なり合うか若しくは一枚板状に展開される収納状態と、前記指示板が開かれる立設状態とをとることができ、前記底板プレート、前記支持部及び前記天板プレートを順次載置してなる天板部と、
を備えてなる机。
【発明の詳細な説明】
【０００１】
【産業上の利用分野】
この発明は机に関する。この机は例えば仮設の事務所において使用するのに適している。
【０００２】
【従来の技術】
机は一般的に一体の固定構造であり嵩張るものであった。他方、仮設の事務所等で使用するため、天板の裏面に折畳み式の脚部を備えた机が提案されている（特許文献１等参照）。この折畳み式机の場合、その脚部を折りたたむことにより、脚部が天板の裏面に収納され、運搬及び収納に適したものとなる。
【０００３】
【特許文献１】
特開平０８−１２６５２７号公報
【０００４】
【発明が解決しようとする課題】
しかしながら上記の折畳み式机の場合、脚部と天板とを連結するため複雑な機構を必要としていた。即ち、脚部を回動自在に取り付ける取付け金具、脚部を立設状態で安定させるためのロック機構、及び脚部を立設状態から天板に沿った収納状態まで円滑に移動させるためのスライド機構などが天板の裏面に配設されていた。このように、部品点数が多くなると机が重くなり、また製造コストも嵩んでしまう。
【０００５】
【課題を解決するための手段】
本発明者は上記課題を解決すべく検討を重ねてきた結果、脚部と天板とからなる極めてシンプルな構造の本発明の机に想到した。即ち、
少なくとも２枚の脚板が連結されてなる脚部であって、前記脚板が重なり合うか若しくは一枚板状に展開される収納状態と、前記脚板が開かれる立設状態とをとることができる脚部と、
前記立設状態の脚部に載置される天板と、
を備えてなる机。
【０００６】
このように構成された机によれば、脚部の上に天板が載置される構成であるので、両者を連結するための部品を必要としない。そのため、机を構成する部品点数が可及的に少なくなる。よって、軽量でかつ安価な机の提供が可能になる。
また、脚部は収納状態（複数の脚板が重なり合うか若しくは一枚板状に展開される）において平板状になるので、同じく平板状の天板と合わせて収納および運搬に適したものとなる。
【０００７】
【発明の実施の形態】
以下、この発明の各要素について説明する。
（脚部）
脚部は少なくとも２枚の脚板が連結されてなる。脚板は平板状であり、例えばヒンジ（蝶番）で脚板の対向する縁が回転自在に連結されている。
脚板をそれぞれの縁で連結することにより、収納状態において全体を実質的に平板状とすることができる。例えば２枚の脚板を供える脚部においては、それらを重ね合わせるか若しくはそれらを１８０°展開すると脚部が全体として平板状となる。また、３枚の脚板を供える脚部においては、３枚の脚板の全てを重ねあわせること、若しくは２枚を重ね合わせ残りの１枚を１８０°展開することにより脚部全体を平板状にすることができる。
【０００８】
脚板は平板状であればその形状は特に限定されるものではないが、実施例に示したように、コ字形とすることが好ましい。コ字の下辺部分及び上辺部分において床面及び天板裏面に対して十分な接触面積を確保できると共に、コ字の開口部分を使用者側に向けることにより机下の足元スペースを十分に確保できるからである。従って、脚板はそのコ字の縦辺で相互に連結されることとなる。
連結される複数の脚板は部品の共通化の観点から同一形状とすることが好ましい。
脚板の材質も特に限定されるものではなく、その用途によって適宜選択される。例えば、木板、合板、合成樹脂板、ダンボール板、中空金属板などをその材質として採用することができる。
【０００９】
脚板を連結するための手段としてヒンジを用いることができる。ヒンジとして機械的な蝶番のほか、合成樹脂で脚板を形成したときには薄肉部からなるインテグラルヒンジを採用することも可能である。
ヒンジを用いることにより、複数の脚板を任意に開いたり閉じたりすることができる。即ち、脚板間の挟角を任意に設定することができる。ストッパ等を用いて脚板の挟角を固定とすることも可能である。
脚部を立設状態とするには脚板を開いてその挟角を２０〜６０°程度とすることが好ましい。また、収納状態では脚板の挟角は０°若しくは１８０°となる。
【００１０】
天板は平板状の部材であり、その形状は用途に応じて任意に設計することができる。天板の材質も特に限定されるものではないが、部品材料共通化の観点から脚板と同一材質とすることが好ましい。
脚部の数は天板の面積及び／又は重量に応じて適宜選択される。実施例では１つの天板に対して２つの脚部を用いているが、例えば天板が長板になれば３つ以上の脚部を用いることができる。また、複数の天板をつないで使用するとき、隣合う天板を１つの脚部の上に載置することも可能である。
【００１１】
この天板は立設状態の脚部の上縁に載置される。この明細書において載置とは、両者を固定する手段を何ら設けずに、単に脚部上に天板を置いた状態を意味する。
従って、脚部と天板とを精密に位置合わせする必要がない。例えば、両者をピンやねじ等で連結しようとするとその正確な位置合わせが必要となり、組み立て作業に手間がかかるばかりでなく、部品点数も多くなってしまうので好ましくない。
本発明者の検討によれば、昨今では仮設の机といえどもその上にコンピュータ装置等を置くことが多いので、それらの重量によって天板が脚部に押し付けられ両者の位置関係が安定する。もって通常の使用状態で天板が脚部に対してずれることがない。
【００１２】
【実施例】
以下、この発明の実施例について説明する。
（第１実施例）
図１は実施例の机１の分解斜視図である。この机１は一対の脚部３、３と天板１１から構成される。
脚部３は、図５に示すように脚板５、６を蝶番７で連結してなる。各脚板５、６は合板からなり、同一のコ字形状である。そして、コ字の縦辺で各々蝶番７にねじ止めされている。
天板１１は矩形の合板からなり、一つの長辺にそって長孔１３が穿設されている。この長孔には電話線、電源線及びＬＡＮケーブル等が通される。天板１１の上面は樹脂等で表面コートされている。
【００１３】
図２に実施例の机１の正面斜視図、図３に同じく側面斜視図を示した。これらの図に示すように、脚部３を構成する脚板５、６を開いて脚部３を立設する。そしてその上に天板１１を載置するのみでこの机１は完成する。
また、この机１を収納するときは、天板１１を外し、更に脚部３を構成する脚板５、６を重ね合わせればよい（図４参照）。収納状態においては図４に示されるように、机１の構成部品が全て平板状になる。よって、収納スペースが小さくてすみ、また運搬にも便利である。また、この実施例では脚板５、６及び天板１１をいずれも合板で形成したので、軽量かつ安価という特性もある。
【００１４】
（第２実施例）
図６、７に他の実施例の机２０を示す。第１実施例と同一の要素には同一の符号を付してその説明を省略する。
この机は脚部３、４及び天板部２１から構成される。
天板部２１は、底板プレート２３、支持部２５及び天板プレート２８からなる。底板プレート２３と天板プレート２８は、実施例１の天板１１と実質的に同一部材である。各プレート２３、２８にはそれぞれ長孔２４、２９が穿設されている。
支持部２５は支持板２６、２７をヒンジで連結してなる。ヒンジには脚部３と同一のものを使用した。
天板部２１を構成する各要素、即ち底板プレート２３、支持部２５及び天板プレート２８には、脚部３と同様に、合板を用いた。
【００１５】
この机２０は次のようにして組み立てられる。まず、脚部３を構成する脚板５、６を開いて脚部３を立設する。その上に底板プレート２３を載置する。次に、支持部２５を構成する支持板２６、２７を開いて支持部２５を底板プレート２３の上に立設し、更にその上に天板プレート２８を載置する。このように構成された机２０によれば、底板プレート２３と天板プレート２８との間に空間３０が形成され、当該空間３０を収納スペースとして利用することができる。
また、この机２０を収納するときは、天板プレート２８を外し、支持部２５を構成する支持板２６、２７を重ね合わせ、更に底板プレート２３を外し、最後に脚部３を構成する脚板５、６を重ね合わせれば、机２０の構成部品が全て平板状になる。よって、収納スペースが小さくてすみ、また運搬にも便利である。また、この実施例では全ての構成部品を合板で形成したので、軽量かつ安価という特性もある。
【００１６】
第２の実施例において、底板プレート２３と天板プレート２８との間に間仕切りプレートを介在させることもできる。この場合、底板プレート‐間仕切りプレート間及び間仕切りプレート‐天板プレート間にそれぞれ支持部が介在されることとなる。
底板プレート２３及び天板プレート２８の形状は特に限定されるものではないが、部品共通化の点から同一形状とすることが好ましい。
支持部２５の数も任意に選択することができる。
【００１７】
【発明の効果】
以上説明したように、この発明の机によれば、脚部の上に天板が載置される構成であるので、両者を連結するための部品を必要としない。そのため、机を構成する部品点数が可及的に少なくなる。よって、軽量でかつ安価な机の提供が可能になる。また、脚部は収納状態（複数の脚板が重なり合うか若しくは一枚板状に展開される）において平板状になるので、同じく平板状の天板と合わせて収納および運搬に適したものとなる。
【００１８】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【図１】図１はこの発明の実施例の机の分解斜視図である。
【図２】図２は実施例の机の使用状態の正面斜視図である。
【図３】図３は同じく側面斜視図である。
【図４】図４は同じく収納状態を示す図である。
【図５】図５は脚部の展開状態を示す図である。
【図６】図６は他の実施例の机の分解斜視図である。
【図７】図７は同じく使用状態を示す正面斜視図である。
【符号の説明】
１、２０　机
３　脚部
５、６　脚板
７　蝶番
１１　天板
２１　天板部
２３　底板プレート
２５　支持部
２８　天板プレート
【図１】
2004121432.tif 000003
【図２】
2004121432.tif 000004
【図３】
2004121432.tif 000005
【図４】
2004121432.tif 000006
【図５】
2004121432.tif 000007
【図６】
2004121432.tif 000008
【図７】
2004121432.tif 000009